(57)【要約】【課題】簡易な加工施工で間伐材を強固に接合し耐久性も確保する。【解決手段】基準形を分割した、材芯に向かって外力で変位する一次圧子と一次圧子に圧されて変位する二次圧子とに依って圧縮した材端を、差し込んだ材端接合箱金物の中で、差し込む時押し広げられた刺し孔が注入針を抜き去る時閉じる弾性栓から注入貯留された同種樹枝葉から由来する樹脂防腐液の吸収に依り膨張させて密着固定させる。定期追加注入に依り防腐期間を更新する。【選択図】図９
2005041092.tif 000002
【特許請求の範囲】
【請求項１】
横断面で見ると、基準線が円形である場合においては、基準円の分割円弧に内側面が外接する、圧縮代分被圧縮材の材芯に向かって外力で変位する一次圧子と基準円の分割円弧に外側面が内接するか又は内側面が外接する、一次圧子に圧されて変位する二次圧子とに依って、又、基準線が多角形である場合においては、基準多角形の角部を一次圧子とし辺部を二次圧子とするか逆に辺部を一次圧子とし角部を二次圧子とする、一次圧子の内側面が基準線に外接し二次圧子の外側面が基準線に内接するか又は内側面が外接する方式の圧縮代分被圧縮材の材芯に向かって外力で変位する一次圧子と一次圧子に圧されて変位する二次圧子とに依って、材端を縮径することを特徴とする材端圧縮装置。
【請求項２】
横断面で見ると、基準線が円形又は多角形で、接合する材端が納まる箱部の底又は材端の突合せ部に、差し込む時押し広げられた刺し孔が樹脂防腐液注入針を抜き去る時閉じる弾性栓を備えた注入口を持つことを特徴とする材端接合箱金物。
【請求項３】
組み付け対象材の材芯想定位置に拡散口を、ボルト頭部又は先端部に差し込む時押し広げられた刺し孔が樹脂防腐液注入針を抜き去る時閉じる弾性栓を備えた注入口を持つことを特徴とする中空ボルト。
【請求項４】
請求項１に依り縮径した材端を請求項２の材端接合箱金物に差し込んで注入樹脂防腐液に依る材端膨張固定で組立てた構造体に請求項３の中空ボルトで造作材を取付けることを特徴とする構造方法。
【発明の詳細な説明】
【技術分野】
【０００１】
本発明は、簡易な現場加工施工で間伐材を接合する方法に関するものである。
【背景技術】
【０００２】
間伐材は足場材柵材など多くの分野を鋼管などに譲ってきたが、林業で必ず副生するので、雑貨集成材原料分野以外でもその需要は維持されるべきである。組立て法は番線結束が主な方法で、疎な材質から特に鉄錆に触れたり切り欠いた部分からの腐朽が最大の弱点である。
【０００３】
しかし、安価を求められ、材質も疎で脆いので伝統的木質構造の継ぎ手仕口は用いがたい。丸材に削りだし防腐しボルト固定しても扱いやすさは繊維を損なう不利に相殺され需要回復に至らない。
【０００４】
この改善策として、現場合わせ出来る、手間取らず、繊維を損なわず継手金具に差込固定し、材端切欠部に防腐剤を継続供給出来る、等を条件にすると、防腐剤を長期貯留拡散する金具と金具に差し込むため一時材端を縮径する機械工具と間伐時出る枝葉から抽出したヒノキチオールなどの樹脂の組み合わせに至る。仮設分野に留まらず、固定端を構成すれば、いわゆる在来工法の小さなホゾを超えて、大材を中材で貫く本来の軸組み同等の接合も可能になる。技法を駆使しての継ぎ足し長材にも、強い金具と固定法で代替出来る。
【０００５】
【非特許文献１】社団法人日本建築学会編  構造用教材  木質構造  小屋組詳細、軸組み詳細、継手仕口、接合金属
【発明の開示】
【発明が解決しようとする課題】
【０００６】
解決しようとする問題点は、現場簡易対応性、耐久性、剛接性である。
【課題を解決するための手段】
【０００７】
本発明は、簡易に耐久性剛接性を得るため、圧縮した材端を、差し込んだ箱金物内で、同種樹枝葉由来樹脂吸収に依り膨張させ固定することを最も主要な特徴とする。
【発明の効果】
【０００８】
本発明の材端圧縮装置は全周から偏り無く先細に圧縮し、材端接合箱金物は、注入された樹脂防腐液を貯留し材端に含ませ長期間繊維に沿って拡散させ、中空ボルトは腐朽し易いボルト孔切り欠き部に樹脂防腐剤を長期間拡散させるので、これらを用いた構造体造作は長期間耐久性構造強度を保持するという利点がある。
【発明を実施するための最良の形態】
【０００９】
材質が疎で脆く腐朽し易く端部が不揃いな間伐材を簡易に、強固に組立て長期使用するという目的を、最小の加工装置単純な金物自然な防腐剤で、繊維を極力切らず風合いを損なわずに実現した。
【実施例１】
【００１０】
図１は、本発明装置の１実施例の横断面図であって、左は圧縮前を、右は圧縮後を示すこと、符号１〜４は、図２以下と同様である。
【００１１】
基準線１は材端接合箱金物の内径に相当しており、材端径寸法は図７図８のごとく圧縮前には大きく、圧縮後には差し込み易く少し小さく先端はさらに小さい。本発明の主体は縮径、膨張に依る密接の実施方法にあるので、外力の由来制御方法、別項の注入器具樹脂液やその代替剤などの説明は省略する。
【００１２】
図１の材端圧縮装置の実施例は二次圧子の外側面が基準円の分割円弧に内接して少し過ぎて圧縮が終わる。材端の二次圧子内側面に圧された部分はさらに圧縮されており、容易に箱金物に差し込み得る。以下図６までの実施例は横断面で見ての材端圧縮装置に関する記述である。
【００１３】
図２の実施例は二次圧子の内側面が基準円の分割円弧に外接して少し過ぎて圧縮が終わる。
【００１４】
図３の実施例は基準線が多角形で辺部が一次圧子で角部の二次圧子の外側面が基準線に内接して少し過ぎて圧縮が終わる
【００１５】
図４の実施例は基準線が多角形で辺部が一次圧子で角部の二次圧子の内側面が基準線に外接して少し過ぎて圧縮が終わる。
【００１６】
図５の実施例は基準線が多角形で角部が一次圧子で辺部の二次圧子の外側面が基準線に内接して少し過ぎて圧縮が終わる。
【００１７】
図６の実施例は基準線が多角形で角部が一次圧子で辺部の二次圧子の内側面が基準線に外接して少し過ぎて圧縮が終わる。
【００１８】
図７図８の実施例は縦断面から見ての材端圧縮装置に関する記述で、図７の実施例は外力が、一次圧子の斜面を滑りながら圧す零次の圧子を圧するドリルチャックの仕様に類する荷重方法を示す。比較的小さな外力での実施が可能である。
【００１９】
図８の実施例は大きな外力が直接一次圧子を圧す荷重方法を示す。
【００２０】
図９の実施例は材端接合箱金物Ａの樹脂液注入直後の詳細を示す。材端は膨張し密接し、追加注入で防腐期間を更新し得る。十分な追加注入で新材の香りを何時までも楽しむ事も出来る。仮設以外での使用では価値がある。
【００２１】
図１０の実施例は造作材の取り付けなど簡易な固定のための中空ボルトの詳細を示す。鉄錆が比較的乾燥状態中でも木質の腐朽を促すのは屋外木質品の実例の通りだが、ステンレスボルト仕様でも金物が水分を呼ぶ以上腐朽は避けがたいから局所への防腐剤継続注入が有効である。図を添えた木螺子も同趣旨である。
【００２２】
図１１の実施例は木柵の組み立ての概念を示す。Ｇはボルト接合であり、他は箱金物接合である。
【００２３】
図１２の実施例は斜材を含む接合の概念を示す。傾斜が鋭角に過ぎると力学施工とも不利であるのは他の木質構造鋼構造とも同様である。
【００２４】
図１３の実施例は、Ｇはボルト頭正面図を示す。それ以外は注入口の表現を省略した材端接合箱金物の縦断面図を示す。
【産業上の利用可能性】
【００２５】
外観に配慮した仮設、公園柵など景観建材の他、敢えて金物を見え掛かりにしての、普及寸法材での、江戸期豪商庄屋クラス似の軸組みや主接合部を床天井に隠しての壁筋交いを減じた軸組み、下級材での軸組みが可能で、芳香剤防腐剤の定期追加注入はメンテナンスに新分野を加え得る。特に防腐に関しては沓金物Ｈ使用で地面付近の腐朽を避けての延命効果は大きい。不燃でも高温で強度を失う鋼構造よりも火災時有利な木質構造が接合部のみ鋼を利用し鋼構造に勝れば道が拓ける。
【図面の簡単な説明】
【００２６】
【図１】材端圧縮装置の圧縮方法を示した説明図である。（実施例１）
【図２】材端圧縮装置の圧縮方法を示した説明図である。（実施例２）
【図３】材端圧縮装置の圧縮方法を示した説明図である。（実施例３）
【図４】材端圧縮装置の圧縮方法を示した説明図である。（実施例４）
【図５】材端圧縮装置の圧縮方法を示した説明図である。（実施例５）
【図６】材端圧縮装置の圧縮方法を示した説明図である。（実施例６）
【図７】材端圧縮装置の圧縮方法を示した説明図である。（実施例７）
【図８】材端圧縮装置の圧縮方法を示した説明図である。（実施例８）
【図９】材端接合箱金物の構造を示した説明図である。（実施例９）
【図１０】中空ボルトの構造を示した説明図である。（実施例１０）
【図１１】間伐材柵の構造を材端接合箱金物の配置で示した説明図である。（実施例１１）
【図１２】斜材を含む構造を材端接合箱金物の配置で示した説明図である。（実施例１２）
【図１３】材端接合箱金物の縦断面を示した説明図である。（実施例１３）
【符号の説明】
【００２７】
１    基準線
２    一次圧子
３    二次圧子
４    被圧縮材
５    外力１
６    零次圧子
７    材端接合箱金物
８    樹脂防腐液注入針
９    注入口
１０  弾性栓
１１  樹脂防腐液
１２  拡散口
１３  緩速拡散栓
Ａ    中間柱笠木繋ぎ箱金物
Ｂ    端柱笠木繋ぎ箱金物
Ｃ    中間柱横桟繋ぎ箱金物
Ｄ    端柱横桟繋ぎ箱金物
Ｅ    中間柱斜材繋ぎ箱金物
Ｆ    端柱斜材繋ぎ箱金物
Ｇ    中空ボルト
Ｈ    沓金物
【図１】
2005041092.tif 000003
【図２】
2005041092.tif 000004
【図３】
2005041092.tif 000005
【図４】
2005041092.tif 000006
【図５】
2005041092.tif 000007
【図６】
2005041092.tif 000008
【図７】
2005041092.tif 000009
【図８】
2005041092.tif 000010
【図９】
2005041092.tif 000011
【図１０】
2005041092.tif 000012
【図１１】
2005041092.tif 000013
【図１２】
2005041092.tif 000014
【図１３】
2005041092.tif 000015